(57)【要約】【課題】鼻腔の中に伸びた鼻毛や人の耳殻から外耳道に生えている耳毛等の細部の剃り難い部位の毛を、毛が生えている粘膜や皮膚を傷つけることなく、安全且つ確実で容易に切断することができるシェーバを提供する。【解決手段】多数の小穴又はメッシュ９が配設された外刃２と、外刃２の内面に沿って回転する内刃８とを備え、小穴又はメッシュ９へ挿入された毛を外刃２と内刃８で切断するシェーバである。外刃２は、先端部３と基軸部４とで形成され、先端部３と基軸部４との間にくびれ部５が形成されたものである。【選択図】図１
2006167260.tif 000002
【特許請求の範囲】
【請求項１】
多数の小穴又はメッシュが配設された外刃と、前記外刃の内面に沿って回転する内刃とを備え、前記小穴又はメッシュへ挿入された毛を前記外刃と前記内刃で切断するシェーバであって、前記外刃が、先端部と基軸部とで形成され、前記先端部と前記基軸部との間にくびれ部が形成されたシェーバ。
【請求項２】
前記先端部の直径が、前記基軸部の直径よりも大きい請求項１に記載のシェーバ。
【請求項３】
前記先端部の形状が、略球形状、略円筒形状、略錘形状のいずれか１種から選択されるものである請求項１又は２に記載のシェーバ。
【請求項４】
前記内刃が、前記外刃の全て又は少なくとも前記先端部と前記くびれ部に当接するように配設された請求項１〜３のいずれか１項に記載のシェーバ。
【発明の詳細な説明】
【技術分野】
【０００１】
本発明は、シェーバに関し、更に詳細には、鼻腔の中に伸びた鼻毛や人の耳殻から外耳道に生えている耳毛等の細部の剃り難い部位の毛を切断するためのシェーバに関する。
【背景技術】
【０００２】
現在、鼻毛や耳毛等の細部の毛を手入れする方法は、毛抜きや鋏や剃刀を用いることが一般的であった。
【０００３】
しかしながら、毛抜きを用いた場合、毛をその毛根から引き抜いてしまうため、毛が生えている粘膜や皮膚を傷つけてしまい、出血や細菌により化膿する等といった可能性があるため、衛生上の問題があるだけでなく、例えば、鼻穴や耳孔の複雑な凹凸部に生えている毛を、毛抜きでうまく引き抜くことも困難であった。
【０００４】
また、鋏を用いた場合、先端部を丸く安全にしていたとしても、鼻穴や耳孔の最深部に突っ込みすぎてしまうと、大けがの原因となるだけでなく、鼻穴や耳孔の複雑な凹凸部に生えている毛を、鋏でうまく切断することも困難であった。
【０００５】
更に、剃刀を用いた場合、安全性の面で毛抜きや鋏のように簡単に用いることが困難であるだけでなく、鼻穴や耳孔の複雑な凹凸部に生えている毛を剃るには、熟練した技術が必要であった。
【０００６】
以上の問題点を解消するため、鼻毛の手入れに関しては、例えば、図８に示すような鼻毛カッター５０や鼻穴に差し込むだけで、鼻毛を短くカットすることができるとともに、カット時に、鼻腔の粘膜を傷つけることなく、安全に使用する鼻毛カッターが提案されている（特許文献１参照）。
【０００７】
また、耳毛の手入れに関しては、例えば、自分自身又は介助の人による場合のいずれでも耳殻や外耳道の中の耳毛を安全に速やかに剃り落とせる耳毛カッターが提案されている（特許文献２参照）。
【０００８】
しかしながら、図８に示すような鼻毛カッター５０は、例えば、鼻穴４０の複雑な凹凸部に生えている鼻毛２０を切りすぎでしまったり、切れなかったり、無理に外刃２を鼻腔３０に押し付けてしまい粘膜を傷つけてしまう可能性が高かった。
【０００９】
また、特許文献１及び特許文献２であっても、鼻穴や耳孔の複雑な凹凸部に生えている毛を十分に切断することができないため、大変不便であり、一般的な方法に頼りざる得なかった。
【特許文献１】特開２００１−１４９６７１号公報
【特許文献２】特開平１１−９４９１号公報
【発明の開示】
【発明が解決しようとする課題】
【００１０】
本発明は、上述した従来技術の問題点に鑑みてなされたものであり、その目的とするところは、鼻腔の中に伸びた鼻毛や人の耳殻から外耳道に生えている耳毛等の細部の剃り難い部位の毛を、毛が生えている粘膜や皮膚を傷つけることなく、安全且つ確実で容易に切断することができるシェーバを提供することにある。
【課題を解決するための手段】
【００１１】
上述の目的を達成するため、本発明は、以下のシェーバを提供するものである。
【００１２】
［１］多数の小穴又はメッシュが配設された外刃と、前記外刃の内面に沿って回転する内刃とを備え、前記小穴又はメッシュへ挿入された毛を前記外刃と前記内刃で切断するシェーバであって、前記外刃が、先端部と基軸部とで形成され、前記先端部と前記基軸部との間にくびれ部が形成されたシェーバ。
【００１３】
［２］先端部の直径が、前記基軸部の直径よりも大きい［１］に記載のシェーバ。
【００１４】
［３］先端部の形状が、略球形状、略円筒形状、略錘形状のいずれか１種から選択されるものである［１］又は[２]に記載のシェーバ。
【００１５】
［４］内刃が、前記外刃の全て又は少なくとも前記先端部と前記くびれ部に当接するように配設された［１］〜［３］のいずれかに記載のシェーバ。
【発明の効果】
【００１６】
本発明のシェーバは、鼻腔の中に伸びた鼻毛や人の耳殻から外耳道に生えている耳毛等の細部の剃り難い部位の毛を、毛が生えている粘膜や皮膚を傷つけることなく、安全且つ確実で容易に切断することができる。
【発明を実施するための最良の形態】
【００１７】
本発明に係るシェーバは、多数の小穴又はメッシュが配設された外刃と、外刃の内面に沿って回転する内刃とを備え、小穴又はメッシュへ挿入された毛を外刃と内刃で切断するシェーバであって、外刃が、先端部と基軸部とで形成され、先端部と基軸部との間にくびれ部が形成されたものである。
【００１８】
以下、図面を参照して、本発明のシェーバについて詳細に説明するが、本発明は、これに限定されて解釈されるものではなく、本発明の範囲を逸脱しない限りにおいて、当業者の知識に基づいて、種々の変更、修正、改良を加え得るものである。
【００１９】
図１は、本発明のシェーバの一例を示す一部破断斜視図、図２は、図１に示すシェーバの内刃の一例を示すものであり、（ａ）は概略斜視図、（ｂ）は（ａ）の平面図、図３は、図１に示すシェーバの実施形態の一例を示す説明図である。
【００２０】
本発明に係るシェーバは、例えば、図１に示すように、多数の小穴（メッシュ）９が配設された外刃２と、外刃２の内面に沿って回転する内刃８とを備え、小穴（メッシュ）９へ挿入された毛を外刃２と内刃８で切断するシェーバである。外刃２は、先端部３と基軸部４とで形成され（図２（ａ）（ｂ）参照）、先端部３と基軸部４との間にくびれ部５が形成されたものである。即ち、本発明のシェーバでは、外刃２にくびれ部５を形成するため、先端部３の直径が基軸部４の直径よりも大きいことが重要である。
【００２１】
これにより、図１に示すシェーバは、外刃２にくびれ部５を新たに設けることにより、図３に示すように、鼻穴４０の複雑な凹凸部にフィットしやすくなるため、鼻毛２０を切りすぎでしまったり、切れなかったり、無理に外刃２を鼻腔３０に押し付けてしまい粘膜を傷つけてしまうことを大幅に軽減することができる。
【００２２】
尚、本発明のシェーバは、図４又は図５に示す形状のものも好適に用いることができる。
【００２３】
本発明で用いる外刃２は、特に限定されないが、例えば、略球形状（図６（ｄ）及び図６（ｅ））、略円筒形状（図５参照）、略錘形状（図６（ａ）〜（ｃ）参照）のいずれか１種から選択される形状であることが好ましい。尚、図６（ａ）は上部が略錘形状、下部が半円球状であるもの、図６（ｂ）は紡錘形状、図６（ｃ）は略錘形状の下底面の角部に丸みを付けたもの、図６（ｄ）は半球形状、図６（ｅ）は球形状である。また、本発明で用いる外刃２は、細かい小穴を持つパンチングメタル状のものを上記の形状に加工したメッシュであることが好ましい。
【００２４】
本発明で用いる内刃８は、特に限定されないが、外刃（図６（ａ）〜（ｅ））に対応するように、複数の刃１０から形成され（図７（ａ）〜（ｅ）参照）、且つ実使用時に外刃２と内刃８との切断機能を阻害しないように、切断された毛が速やかに内刃８から除去されるように複数の刃１０の配置を工夫することが好ましい。
【００２５】
また、本発明のシェーバは、例えば、図１に示すように、本体１と、本体１の一端に着脱自在に装着されたシェーバ部１５とから主に構成されている。
【００２６】
本体１は、例えば、図１に示す略円筒状に形成されており、実使用時においてシェーバ部１５を鼻穴や耳孔等の複雑な凹凸部に導入するためのグリップを兼ねている。尚、シェーバ部１５は、内刃８をメッシュ状の外刃２で包み込んだものである。
【００２７】
本体１の内部には、内刃８を回転させるモータ１２が収容保持されており、モータ１２の回転数を切り替えたり、モータのｏｎ／ｏｆｆを制御するスイッチが本体１の外部に配設されていることが好ましい。
【００２８】
更に、内刃８を回転させるモータ１２を駆動させるために必要な電源は、例えば、通常の電池や充電式の蓄電池のように本体１内に収容できるものを用いることが、操作性や携帯性の上では好ましいが、アダプタを接続して家庭用のコンセントからの通電であっても構わない。
【産業上の利用可能性】
【００２９】
本発明のシェーバは、鼻腔の中に伸びた鼻毛や人の耳殻から外耳道に生えている耳毛等の細部の剃り難い部位の毛を切断することができるため、衛生上有益に利用することができる。
【図面の簡単な説明】
【００３０】
【図１】本発明のシェーバの一例を示す一部破断斜視図である。
【図２】図１で用いる内刃の一例を示すものであり、（ａ）は概略斜視図、（ｂ）は（ａ）の平面図である。
【図３】図１に示すシェーバを用いて鼻腔の中に伸びた鼻毛を切断する状態を示す説明図である。
【図４】本発明のシェーバの他の例を示す概略斜視図である。
【図５】本発明のシェーバの更に他の例を示す概略斜視図である。
【図６】（ａ）〜（ｅ）は、本発明のシェーバの外刃の各形状を示す図である。
【図７】（ａ）〜（ｅ）は、本発明のシェーバの内刃の各形状を示す図である。
【図８】従来のシェーバを用いて鼻腔の中に伸びた鼻毛を切断する状態を示す説明図である。
【符号の説明】
【００３１】
１…本体、２…外刃、３…先端部、４…基軸部、５…くびれ部、６…先端刃部、７…基軸刃部、８…内刃、９…小穴（メッシュ）、１０…複数の刃、１２…モータ、１５…シェーバ部、２０…鼻毛、３０…鼻腔、４０…鼻穴、５０…鼻毛カッター。
【図１】
2006167260.tif 000003
【図２】
2006167260.tif 000004
【図３】
2006167260.tif 000005
【図４】
2006167260.tif 000006
【図５】
2006167260.tif 000007
【図６】
2006167260.tif 000008
【図７】
2006167260.tif 000009
【図８】
2006167260.tif 000010